(57)【要約】【課題】  何度も時刻と都市名等とを合わせる必要がなく、一目で基準とする都市等の時刻と、所望の都市等の時刻との時差の関係を確認できる世界時刻早見装置を提供する。【解決手段】  1〜24の数字を順番に中心角15゜間隔で表示した第１の時刻表示部を有する基板と、第１の時刻表示部の数字が視認可能な大きさの円盤で、1〜24の数字を順番に中心角15゜間隔で円盤の縁に沿って表示した第２の時刻表示部を有する回転板と、を有し、基板と回転板とは回動可能に重ねて結合され、第１の時刻表示部の内側には、世界の代表的な都市等の名称が、時差に応じて放射状に表示されており、回転板には、半径方向に世界の代表的な都市等の名称の一つが視認できるスリット状の都市等表示窓を有し、隣り合う第１の時刻表示部と第２の時刻表示部のそれぞれの数字が、都市等表示窓から視認できる都市等の時刻と、基準とする都市等の時刻との時差に対応するようにずれている構成とする。【選択図】  図１
0003156125.tif 000002
【実用新案登録請求の範囲】
【請求項１】
１から２４の数字を順番に中心角１５゜間隔で表示した第１の時刻表示部を有する基板と、
前記第１の時刻表示部の前記１から２４の数字が視認可能な大きさの円盤で、１から２４の数字を順番に中心角１５゜間隔で円盤の縁に沿って表示した第２の時刻表示部を有する回転板と、を有し、
前記基板と前記回転板とは、前記第１の時刻表示部が形成する円の中心と前記回転板の中心で回動可能に重ねて結合され、
前記基板に表示された前記第１の時刻表示部の内側に、世界の代表的な国又は都市の名称が、時差に応じて、それぞれ前記第１の時刻表示部が形成する円の中心から放射状に表示されており、
前記回転板に表示された前記第２の時刻表示部の内側に、前記回転板の半径方向に前記世界の代表的な国又は都市の名称の一つが視認できるスリット状の都市等表示窓を有し、
隣り合う前記第１の時刻表示部と前記第２の時刻表示部のそれぞれの数字が、前記都市等表示窓から視認できる国又は都市の時刻と、基準とする国又は都市の時刻との時差に対応するようにずれていることを特徴とする世界時刻早見装置。
【請求項２】
前記基板に表示された前記世界の代表的な国又は都市の名称の替わりに、若しくは併記して、前記基準とする国又は都市の時刻との時差を表示していることを特徴とする請求項１に記載の世界時刻早見装置。
【請求項３】
前記第１の時刻表示部が前記基準とする国又は都市の時刻を表し、前記第２の時刻表示部が前記都市等表示窓から視認できる国又は都市の時刻を表していることを特徴とする請求項１又は２に記載の世界時刻早見装置。
【請求項４】
前記第２の時刻表示部が前記基準とする国又は都市の時刻を表し、前記第１の時刻表示部が前記都市等表示窓から視認できる国又は都市の時刻を表していることを特徴とする請求項１又は２に記載の世界時刻早見装置。
【請求項５】
前記基準とする国又は都市が、日本であることを特徴とする請求項１から４のいずれかに記載の世界時刻早見装置。
【考案の詳細な説明】
【技術分野】
【０００１】
本考案は、基準とする国又は都市の時刻と、所望の国又は都市の時刻との時差の関係を、２４時間単位で一目で確認することができる世界時刻早見装置に関する。
【背景技術】
【０００２】
海外から日本に電話をしようとするとき、又は逆に日本から海外に電話をしようとするときなどに、現地時刻や日本時刻を時差から計算するのは面倒であるし、間違えやすい。そこで、世界各都市の時刻を分かり易く表示する装置として、特許文献１（特開平１１−２１１８４８号公報）に示すような世界時刻表示器が考えられている。
【０００３】
図３に、特許文献１に記載された世界時刻表示器の平面図を示す。この世界時刻表示器４０は、時刻を表示した回転体４２を回動させて、自分がいる都市に現在の時刻を合わせると、固定の台４１に表記された世界各都市の現在の時刻が一目でわかるというものである。また、他の利用方法として、例えば海外から日本時間の午前９時に電話をかけたい場合には、回転体４２の「９」を「東京」に合わせ、自分のいる都市の時刻を見れば、現地時間の何時に電話をかければよいかを簡単に知ることもできる。しかし、このような世界時刻表示器４０の場合は、使用する度に回転体４２を回動させ、逐一、日本の時刻や現地時刻と都市名とを合わせて確認しなければならないので、手間がかかる。
【先行技術文献】
【特許文献】
【０００４】
【特許文献１】特開平１１−２１１８４８号公報
【考案の概要】
【考案が解決しようとする課題】
【０００５】
本考案は、斯かる実情に鑑み、何度も時刻と都市名等とを合わせる必要がなく、一目で基準とする都市等の時刻と、所望の都市等の時刻との時差の関係を２４時間単位で確認することができる世界時刻早見装置を提供しようとするものである。
【課題を解決するための手段】
【０００６】
本考案に係る世界時刻早見装置は、１から２４の数字を順番に中心角１５゜間隔で表示した第１の時刻表示部を有する基板と、第１の時刻表示部の前記１から２４の数字が視認可能な大きさの円盤で、１から２４の数字を順番に中心角１５゜間隔で円盤の縁に沿って表示した第２の時刻表示部を有する回転板と、を有し、基板と回転板とは、第１の時刻表示部が形成する円の中心と回転板の中心で回動可能に重ねて結合され、基板に表示された第１の時刻表示部の内側には、世界の代表的な国又は都市の名称が、時差に応じて、それぞれ第１の時刻表示部が形成する円の中心から放射状に表示されており、回転板に表示された第２の時刻表示部の内側には、回転板の半径方向に前記国又は都市の名称の一つが視認できるスリット状の都市等表示窓を有し、隣り合う第１の時刻表示部と第２の時刻表示部のそれぞれの数字が、都市等表示窓から視認できる国又は都市の時刻と、基準とする国又は都市の時刻との時差に対応するようにずれていることを特徴とするものである。
【０００７】
ここで、基板に表示された代表的な国又は都市の名称の替わりに、若しくは併記して、基準とする国又は都市の時刻との時差を表示しても良い。また、第１の時刻表示部が基準とする国又は都市の時刻を表し、第２の時刻表示部が都市等表示窓から視認できる国又は都市の時刻を表す構成にしたり、逆に、第２の時刻表示部が基準とする国又は都市の時刻を表し、第１の時刻表示部が都市等表示窓から視認できる国又は都市の時刻を表す構成にしても良い。特に、日本人が本考案を使用する場合は、基準とする国又は都市を日本にすれば良い。
【考案の効果】
【０００８】
本考案によれば、回転体を回動させて、都市等表示窓に旅行先などの都市等を表示させておけば、旅行中に何度も時刻と都市等とを合わせなくても、基準とする都市等の時刻と、都市等表示窓に表示させた都市等の時刻との時差の関係を２４時間単位で一目で確認することができるという効果を奏する。
【図面の簡単な説明】
【０００９】
【図１】本考案に係る世界時刻早見装置であり、（ａ）は平面図、（ｂ）は正面図である。
【図２】本考案に係る世界時刻早見装置の分解図であり、（ａ）は基板の平面図、（ｂ）は回転板の平面図である。
【図３】特許文献１に記載された世界時刻表示器の平面図である。
【考案を実施するための形態】
【００１０】
図１は、本考案に係る世界時刻早見装置であり、（ａ）は平面図、（ｂ）は正面図である。また、図２は、本考案に係る世界時刻早見装置の分解図であり、（ａ）は基板の平面図、（ｂ）は回転板の平面図である。世界時刻早見装置１０は、基板２０と回転板３０とを重ね合わせ、それぞれの中心で回動可能にピン１１等で結合したものである。
【００１１】
図２（ａ）に示すとおり基板２０は、１から２４の数字を順番に中心角１５゜間隔で表示した第１の時刻表示部２１を有している。また、第１の時刻表示部２１の内側には、世界の代表的な国又は都市の名称２２が、時差に応じて、それぞれ放射状に表示されている。ここで示した世界時刻早見装置１０は、日本を基準にしたものなので、日本を時差０時間とし、時差−１時間の北京から時差−２３時間のシドニーまでを反時計回りに表示している。なお、代表的な都市等が特にないような場合は、時差をそのまま表示すると良い。また、図示した国又は都市の名称２２は一例であり、当然、これら以外の都市等を表示しても良いし、国又は都市の名称２２と時差とを併記しても良い。なお、基板２０の形状は、第１の時刻表示部２１が円状に表示されてさえいれば、図示したような円盤型に限定されず、長方形等であっても良い。
【００１２】
図２（ｂ）に示す回転板３０は、図１（ａ）と同様に１から２４の数字を順番に中心角１５゜間隔で表示した第２の時刻表示部３１を有している。そして、基板２０と回転板３０を重ねたときに、基板２０に表示した国又は都市の名称２２の一つが視認できるように、回転板３１に表示した第２の時刻表示部３１の内側に、都市等表示窓３２としてスリットを設ける。ここで、隣り合う第１の時刻表示部２１の数字と第２の時刻表示部３１の数字は、都市等表示窓３２から視認できる国又は都市の時刻と、基準とする国等の時刻との時差に対応してずれるように設定しておかなければならない。なお、回転板３０の形状は、基本的には円盤状であるが、正多角形にしても良い。また、第１の時刻表示部２１及び第２の時刻表示部３１は、昼間の時間帯を明るい色を使って表示し、夜間の時間帯を暗い色を使って表示するなどすると、より分かり易い表示となる。図１及び図２では、それぞれの時刻を表す数字の外側の色を、昼間は白、夜は黒にして区別している。
【００１３】
図１では、都市等表示窓３２に「パリ」を表示した実施例となっている。この実施例では、回転板３０に表示されている第２の時刻表示部３１が日本時間を、基板２０に表示されている第１の時刻表示部２１がパリ時間を示すことになる。そうすると、例えば、日本時間の７時のとき、パリでは２３時であることが容易に確認できる。本考案では、図１のように、都市等表示窓３２に一度「パリ」と合わせると、日本時間の何時とパリ時間の何時が対応しているかを、２４時間単位で一目で確認することができるという特徴があるので、旅行等に持って行った場合には、使用の度に時刻を合わせるような作業は不要である。また、２４時間単位で時差の対応関係を確認できるため、午前と午後を間違えにくいといった効果もある。
【００１４】
また、図示した世界時刻早見装置１０は、日本を基準としたものなので、回転板３０には、「日本時間」と表示してある。日本以外の国を基準とする場合は、国又は都市の名称２２や都市等表示窓３２の位置を変えることにより、基準とした国や都市に対応した世界時刻早見装置１０を簡単に製造することができる。
【００１５】
なお、図示した世界時刻早見装置１０は、第２の時刻表示部３１が基準とした都市等の時刻を表し、第１の時刻表示部２１が都市等表示窓３２に示された都市等の時刻を表している。これについては、逆にして、第１の時刻表示部２１が基準とした都市等の時刻を表し、第２の時刻表示部３１が都市等表示窓３２に示された都市等の時刻を表すように製造することも可能である。よって、使用者が混乱を生じにくくするために、どちらの数字が基準とした都市等の時刻であるか等を明確に表示しておくと良い。
【符号の説明】
【００１６】
１０      世界時刻早見装置
２０      基板
２１      第１の時刻表示部
２２      国又は都市の名称
３０      回転板
３１      第２の時刻表示部
３２      都市等表示窓
【図１】
0003156125.tif 000003
【図２】
0003156125.tif 000004
【図３】
0003156125.tif 000005